(57)【要約】【課題】基板を覆うカバーをプラスチック製にして材料費を低減し、しかも、カバーの取り付けが容易で外れ難いものとする。【解決手段】カバー１４の左右の両辺に折り曲げ形成された左右の両側面部１８，１９に形成された係合孔２１が基板６の左右の両辺に形成された係合突部２０と係合すること、およびカバー１４の左右の両辺間に位置する一辺に設けられた引掛り突部２５が基板６の裏面に引っ掛ることにより、カバー１４が基板６に取り付けられるので、カバー１４の取り付けが容易である。しかも、引掛り突部２５の引っ掛かりの外れが止め部２４によるずれ止め機能により防止されるので、カバーの途中部分が基板から浮き上がることが防止され、外れ難くなる。【選択図】図１
2010287609.tif 000002
【特許請求の範囲】
【請求項１】
前面が開放され、後面が壁面に取り付けられるボックス本体と、
前記ボックス本体内に配設された配線接続用の端子と、
矩形状をなし、前記ボックス本体内に、３辺が前記ボックス本体の内側面の近くに位置し残る１辺が前記端子の近くに位置するように配設された基板と、
矩形状をなし、前記基板を前記ボックス本体の前面側から覆うように設けられたカバーと、を備えたセキュリティ装置において、
前記カバーを、プラスチック板から、４辺のうち、少なくとも前記端子近くに位置する１辺および当該１辺に連なる両側の２辺に側面部を折り曲げ形成した形態に構成し、
前記基板の前記端子の近くに位置する１辺に連なる両側の２辺と前記カバーの前記端子の近くに位置する１辺に連なる２辺に折り曲げられた２つの前記側面部とのうちの一方に係合部を形成すると共に他方に前記係合部と係合して前記カバーを前記基板に取り付ける被係合部を形成し、
且つ、前記基板の前記端子の近くに位置する１辺の中央部分に前記端子側が凸で前記端子と反対側が凹となる部分を有した止め部を形成すると共に、前記カバーの前記端子の近くに位置する１辺に折り曲げられた前記側面部の中央部分に前記基板の前記止め部が有する前記端子と反対側の凹となる部分を通って前記基板の裏面に引っ掛かる掛り部を有し当該掛り部の前記基板の裏面から前記端子方向へのずれ外れを前記基板の前記止め部が有する前記端子側の凸によって防止される拘束部を形成してなるセキュリティ装置。
【請求項２】
前記係合部は前記基板の前記端子の近くに位置する１辺に連なる両側の２辺に形成された突子部、前記被係合部は前記カバーの前記端子の近くに位置する１辺に連なる両側の２辺に折り曲げられた２つの前記側面部に形成された開口部からなり、
前記開口部が形成された２つの前記側面部に、当該側面部の先端から前記開口部にまで延びる割り溝を形成すると共に、前記ボックス本体の内側面に、前記基板の前記突子部に対応する位置に補強リブを形成し、前記カバーを前記基板に取り付ける際に、前記割り溝を前記補強リブに嵌め合わせることにより前記開口部を前記突子部に係合させるための案内として機能させることを特徴とする請求項１記載のセキュリティ装置。
【発明の詳細な説明】
【技術分野】
【０００１】
本発明は、セキュリティ装置に係り、特に、コントロールボックス内に設けられた基板を覆うカバーの取付構造に関する。
【背景技術】
【０００２】
例えば、入退室システムのコントローラでは、壁面に取り付けられるボックス本体の内部に、電子部品を搭載した基板を設け、この基板の前面側をカバーにより覆って電子部品を保護するようにしている。カバーは、従来、金属板から形成され、ねじによって固定されていた。
【０００３】
セキュリティ装置ではないが、特許文献１には、高周波回路のプリント基板用シールドカバーの取り付け構成が開示されている。これは、シールドカバーの周縁にばね性のあるヒダを多数設けると共に、先端部を広くしたツメを数個設け、プリント基板のスルーホールにツメを挿入し、先端部をひねることでシールドカバーをプリント基板に固定し、その結果、ヒダがプリント基板上のグランドパターンに接触するように構成したものである。
【先行技術文献】
【特許文献】
【０００４】
【特許文献１】実開平７−１０９９９号公報
【発明の概要】
【発明が解決しようとする課題】
【０００５】
従来の入退室システムのコントローラでは、基板のカバーをねじによって固定していたため、取り付け作業が面倒で、作業時間が長くなるという問題があった。このカバーの取り付け構成に、ねじを使用しない特許文献１に開示された構成を採用したとしても、数個のツメを基板に形成された通し孔に通してツメの先端部をひねるという作業は、特に、基板がボックス本体内に取り付けられた状態で行うことを考慮すると、基板の裏側に手指を入れて行わねばならないため、大変に難しいものとなり、取り付け作業時間の短縮効果は少ない。また、ツメをひねり変形させるため、カバーは金属板である必要性があり、カバーの材料コストを低減させることも難しいものであった。
【０００６】
本発明は上記の事情に鑑みてなされたもので、その目的は、基板を覆うカバーをプラスチック板から構成して材料コストの低減を図ると共に、カバーを取り付け易く、且つ外れ難くすることができるセキュリティ装置を提供することにある。
【課題を解決するための手段】
【０００７】
請求項１の発明では、カバーをプラスチック板から構成したので、材料コストを低く抑えることができる。また、カバーの基板に対する取り付けは、カバーの２辺に折り曲げ形成された側面部と基板の２辺のうちの一方および他方に形成された係合部と被係合部との係合によってなされるので、取り付け作業が容易となる。しかも、カバーの２辺間に位置する一辺の中央部分が基板の裏面に対する掛り部の引っ掛かりによって止められ、その掛り部の基板裏面への引っ掛かりは止め部による外れ止めが図られているので、カバーの途中部分が基板から浮き上がることが防止され、外れ難くなる。
【０００８】
請求項２の発明では、前記係合部が基板に形成された突子部、前記被係合部がカバーの側面部に形成された開口部で、ボックス本体の内側面には突子部に対応する位置に補強リブが形成され、カバーの側面部には、開口部に連なる割り溝が形成され、カバーを基板に取り付ける際、割り溝を補強リブに嵌め合わせることにより、開口部が突子部に係合する位置に案内されるようになるので、突子部と開口部との係合作業が一層容易となる。
【図面の簡単な説明】
【０００９】
【図１】本発明の一実施形態を示すもので、カバーを取り外した状態で示すボックス本体の斜視図
【図２】前基板とカバーを、下側を手前にして示す斜視図
【図３】係合突部と係合孔によるカバーの取り付け構成を示す分解斜視図
【図４】係合突部と係合孔によるカバーの取り付け過程を示す断面図
【図５】前基板のリアボックスへの取り付け状態を示す正面図
【図６】前基板を取り付ける補強リブの斜視図
【図７】カバーを、上側を手前にして示す斜視図
【図８】カバーの中央部分の取り付け状態を示す斜視図
【図９】フロントボックスを開いて示すボックス本体の正面図
【図１０】本発明の他の実施形態を示す図８相当図
【発明を実施するための形態】
【００１０】
以下、本発明の一実施形態を例えば入退室システムのコントローラに適用して図１〜図９を参照しながら説明する。ここで、入退室システムとは、室のドアの近傍の壁面にコントローラを設置し、このコントローラに個人が所有するＩＣカードをかざしたり、或いは、個人のＩＤ番号を入力したりすると、入退室システム全体の制御装置、或いは、コントローラ自身が入室資格の有無を判断し、ドアの電気施錠装置を施解錠するという構成のものである。
【００１１】
入退室システムのコントロールボックス１は、図９に示すように、後面が壁面に取り付けられるボックス本体としてのリアボックス２と、このリアボックス２の前面開口を開閉するために当該リアボックス２にヒンジ３を介して横方向に回動可能に取り付けられた蓋としてのフロントボックス４とから構成されている。これらリアボックス２およびフロントボックス４は、共にプラスチックにより形成されている。なお、リアボックス２の前後および上下左右については、リアボックス２を壁面に取り付けた状態で壁面に相対したとき、手前側を前、壁面側を後、左手側を左、右手側を右とし、上下は天地をそのまま上下として説明する。
【００１２】
図１にも示すように、リアボックス２内には、２枚の基板５，６が前後（図１で上下）２段にして配設されている。これら両基板５，６には、それぞれ複数の電気電子部品７（基板５のものは図示せず）が搭載されている。また、図示はしないが、フロントボックス４にも、テンキーやＩＣカードリーダなどを搭載した基板が配設されている。このフロントボックス４に配設された電機電子部品は図示しないリード線によってリアボックス２側の電気電子部品７に接続される。
【００１３】
リアボックス２が取り付けられる壁面からは、コントロールボックス１内に配設された各種の電気部品に電源を供給するための電源用ワイヤ、他の機器と通信を行うための通信用ワイヤなどの多数のワイヤ（図示せず）が導出されており、それらのワイヤは、リアボックス２の後面下部位に形成された引込口（図示せず）からリアボックス２内に引き込まれている。リアボックス２内に引き込まれたワイヤは、上記の２枚の基板５，６のうち、後側の基板（後基板）５に配設された複数個の配線接続用の端子台９の端子９ａに接続されている。なお、端子９ａは、いわゆるスピード端子或は即結端子と称されるもので、工具を押し当てるとチャックが開くので、開いたチャックにワイヤを挿入し、ドライバなどの工具を外すとチャックが閉じてワイヤを掴むという構造のものである。勿論、端子９ａは、スピード端子に限られない。
【００１４】
さて、前側の基板（前基板）６は、図２にも示すように、ほぼ矩形状をなし、その最大左右方向幅Ｗ１はリアボックス２内に挿入できる程度に当該リアボックス２の開口横幅Ｗ２（左右両内側面間の間隔寸法）より若干小さく定められている。また、前基板６の最大上下方向幅Ｗ３は、リアボックス２の開口上下幅Ｗ４（上下両内側面間の幅寸法）の半分程度に定められ、後基板５の上下方向幅よりもかなり小さくなっている。このため、後基板５の下側半分程度は、前基板６の下辺よりも下方に突出しており当該下半部に前記端子台９が配設されている。
【００１５】
上述のような前基板６に対し、リアボックス２の上内側面および左右両内側面には、図６に示すように、後面から前面の開口にかけて前後方向に延びる複数の補強リブ１０が形成されている。これら補強リブ１０の前端部には、Ｌ字形の切欠部１１が形成されている。切欠部１１は、補強リブ１０のリアボックス２の内側面に接する側に所定の突出高さｈを有する間隔保持部１０ａが残るように形成されている。この間隔保持部１０ａのうち、リアボックス２の左右両内側面の間隔保持部１０ａの左右方向間隔は、前基板６の最大左右方向幅にほぼ等しくなっている。
【００１６】
そして、前基板６は、上辺部をリアボックス２の上内側面の間隔保持部１０ａに押し付けるようにしてリアボックス２の左右両内側面の間隔保持部１０ａ間に嵌め込まれて補強リブ１０の切欠部１１の段部面１１ａに受けられている。補強リブ１０のうち、前基板６の左右両辺部の下部位を受ける所要の補強リブ、前基板６の上辺部を受ける所要の補強リブには、ボス部１２が一体に形成されており、図４および図５に示すように、前基板６がこのボス部１２にねじ１３によって固定されている。
【００１７】
このようにしてリアボックス２内に取り付けられた前基板６は、上、左右の３辺がリアボックス２の内側面の近くに位置され、残る１辺である下辺は、後基板５の下半部に搭載された端子台９のやや上方に位置している。これにより、前基板６に邪魔されることなく、端子台９へのワイヤ接続作業を容易に行い得るようになる。ただ、端子台９の端子９ａにワイヤを接続する際、工具を誤って前基板６上の電気電子部品７に当ててしまうと、当該電気電子部品７が損傷する恐れがある。これを防止するために、前基板６にカバー１４が取り付けられている。
【００１８】
カバー１４は、プラスチック板から形成されている。即ち、プラスチック板を所定の展開形状に切断し、所定部分をホットプレスによって折り曲げることにより、前基板６の外形状に類似する形状の覆い板部１５の上下左右の各辺に上下左右の各側面部１６〜１９を形成した構成のものである。このカバー１４は、前基板６を、側面部１６〜１９によって上下左右の四周から囲むと共に、覆い板部１５によってリアボックス２の前面側から覆い、前基板６に搭載された電気電子部品７を保護する。
【００１９】
このカバー１４は、前基板６に取り付けられる。ここで、この前基板６へのカバー１４の取付構成を説明する。即ち、カバー１４は、左右両側面部１８，１９が前基板６に取り付けられ、端子９ａの近くに位置する１辺に折り曲げられた側面部である下側面部１７の中央部分が前基板６に浮き上がり防止のために前基板６に引っ掛けられる。
左右両側面部１８，１９の取り付けのために、前基板６の左右両側の２辺の下部位およびカバー１４の左右の両側面部１８，１９の下部位のうちの一方、例えば前基板６の左右の２辺の下部位には、係合部としての係合突部（突子部）２０が形成され、他方であるカバー１４の左右の両側面部１８，１９の下部位には、被係合部としての係合孔（開口部）２１が形成されている。
【００２０】
前基板６の左右２辺の係合突部２０は、図３および図５に示すように、ボス部１２を有する補強リブ１０の切欠部１１内に位置するように形成されているが、係合突部２０の幅方向中心が補強リブ１０の幅方向中心から若干ずれるような位置に形成されている。切欠部１１内に位置された係合突部２０の先端は、補強リブ１０の間隔保持部１０ａに接している。従って、係合突部２０とリアボックス２の左右の内側面との間の隙間は間隔保持部１０ａの突出高さｈと同等なっているが、本実施形態では、その突出高さｈは、カバー１４の板厚ｔと同等若しくは僅かに大きく定められている。同様に、前基板６の上辺とリアボックス２の上内側面との間の隙間も、カバー１４の板厚ｔと同等若しくは僅かに大きくなっている。
【００２１】
カバー１４を前基板６に被せてゆく際に、補強リブ１０を位置決めにして係合孔２１を係合突部２０に係合させることができるように、カバー１４の左右両側面部１８，１９には、係合孔２１から左右の両側面部１８，１９の先端にまで延びる割り溝２２が形成されている。この割り溝２２の先端部は、ハ字状に開いた導入溝２２ａとして形成されている。なお、図７に示すように、カバー１４の上側面部１６には、補強リブ１０を逃げるための割り溝２３が形成されている。
【００２２】
次に、カバー１４の下側面部１７の中央部分の浮き上がり防止構成を説明するに、まず、前基板６の端子９ａ近くの１辺に相当する下辺には、中央近くから右側の辺に至る途中にまで延びる張出部６ａが形成されており、この張出部６ａの左側端に、図２および図８に示すように、端子台９側が凸２４ａで端子台９と反対側が凹２４ｂとなる部分を有した止め部２４が形成されている。一方、カバー１４の覆い板部１５の下辺部の中央部には、前基板６の張出部６ａを覆うために下方に延びる延長部１４ａが形成されている。これにより、カバー１４の下側面部１７は、左右の下側面部１７ａ，１７ｂと、その間の下側面部１７ｃに分離されている。これらの下側面部１７ａ，１７ｂ，１７ｃのうち、左側の下側面部１７ａの右側端には、当該右側端を基部２５ａとする引掛り突部（掛り部）２５が突設されている。この裏基板６の表裏方向に延びる基部２５ａから横方向に突出する引掛り突部２５は、前基板６の止め部２４に対応する拘束部２６を構成する。
なお、前基板６の４辺のうち、下辺が端子９ａの近くに位置する１辺に相当するが、当該１辺に連なる両側の２辺が左右の２辺となる。同様に、カバー１４の４辺のうち、下辺が端子９ａの近くに位置する１辺に相当し、当該１辺に連なる両側の２辺が左右の２辺となる。
【００２３】
上記のように構成されたカバー１４を、リアボックス２内に取り付けられた前基板６に取り付けるには、例えばカバー１４を左右方向に弓なり状に変形させ、拘束部２６の一つを構成する左側の下側面部１７ａの右端を前基板６の止め部２４の凹２４ａ内に入れながら引掛り突部２５を前基板６の裏（後）面に引っ掛けるように右方に動かすようにする。これにより、図８に示すように、引掛り突部２５は、基部２５ａが止め部２４の凹２４ａを通って前基板６の裏面に引っ掛かった状態になされる。
【００２４】
次に、カバー１４の上側面部１６を前基板６の上辺とリアボックス２の上内側面との間の隙間内に差し入れると共に、左右の各側面部１８，１９を前基板６の左右の各辺とリアボックス２の左右の各内側面との間の隙間内に差し入れるようにする。
このとき、各側面部１６，１８，１９の割り溝２２，２３内に補強リブ１０（間隔保持部１０ａ）が挿入されるようにカバー１４の位置を定め、リアボックス２内に押し込むようにする。すると、カバー１４の上側面部１６の割り溝２３の終端がリアボックス２の上内側面の補強リブ１０の先端に当接すると共に、左右の両側面部１８，１９の割り溝２２を通って係合孔２１内にリアボックス２の左右両内側面の各補強リブ１０が侵入し、それ以上のカバー１４の押し込みが阻止されるようになる。
【００２５】
ところで、カバー１４の左右の両側面部１８，１９の間隔寸法は、係合突部２０を除く前基板６の左右の両辺の間隔寸法と同等に設定されている。このため、カバー１４の左右両側面部１８，１９の割り溝２２内に補強リブ１０の間隔保持部１０ａが入り込むようにするには、左右両側面部１８，１９を外側に膨らませるように弾性変形させねばならない。従って、上記のようにカバー１４のリアボックス２内に押し込んでゆくと、カバー１８，１９の左右両側面部１８，１９は、図４（ａ）に示すように、外側への膨らみが次第に増してくる。
【００２６】
そして、カバー１４を所定位置まで押し込むと、ここでカバー１４の左右の両側面部１８，１９の係合孔２１が前基板６の左右の係合突部２０に横並びした状態となるので、カバー１４の左右の各側面部１８，１９は自身の弾性復元力により元に戻り、図４（ｂ）に示すように、係合孔２１内に係合突部２０が嵌り込んでくるようになる。これにより、係合孔２１が係合突部２０と係合し、以上によりカバー１４が前基板６に取り付けられる。
【００２７】
この取り付け状態において、仮に止め部２４および拘束部２６が設けられていなかったとすると、カバー１４は左右方向長さが長いため、撓みにより中央部分が前基板６から浮き上がる状態になり易い。また、経年変化によりカバー１４が捻られるように変形し、この変形の影響で係合孔２１が係合突部２０から外れるという事態を招く恐れがある。
【００２８】
しかしながら、このカバー１４の中央部の浮き上がりや変形は、引掛り突部２５が前基板６の裏面に引っ掛かっていることにより防止される。この前基板６の裏面への引掛り突部２５の引掛りは、張出部６ａの張り出し寸法が小さいことから、仮にカバー１４の左側の下側面部１７ａが下方に撓むと、容易に外れる。このことについても、引掛り突部２５が突設されている左側の下側面部１７ａの右端縁が前基板６の止め部２４の凹２４ｂに入り込んでいるので、左側の下側面部１７ａが下側に撓もうとした場合、その右端縁が凸２４ａに係止されて張出部６ａからのはずれが防止される。従って、引掛り突部２５の前基板６の裏面への引掛り外れが効果的に防止される。
なお、カバー１４が前基板６を覆った状態において、左右の下側面部１７あ、１７ｂは前基板６の下辺に接するが、中央の下側面部１７ｃは前基板６の張出部６ａから下方に突出した位置にあって後基板５の電気電子部品の一部を覆っている。
【００２９】
以上のように構成した本実施形態によれば、カバー１４をプラスチック板から構成したので、材料コストを低減することができる。しかも、係合孔２１の係合突部２０との係合および拘束部２６の止め部２４への掛合により、カバー１４を前基板６に取り付ける構成であるので、ねじによる取り付け構成に比べ作業が容易である。
その上、プラスチック板製のカバー１４が経年変化によって撓んだりしても、係合孔２１の係合突部２０の係合および拘束部２６の止め部２４への引掛りによってカバー１４の撓みを防止できるので、カバー１４が前基板６から不用意に外れることはない。
【００３０】
図１０は本発明の他の実施形態を示すものである。この実施形態では、前基板６に張出部６ａは設けられておらず、その代わりに、前基板６の下辺の中央部には、矩形状の切欠凹部２７が形成されている。そして、この切欠凹部２７の右内縁部分に、凸２４ａと凹２４ｂを有した止め部２４が形成されている。
一方、カバー１４の下側面部１７は、中央部分がやや上方に分離して位置されていることから、左右の下側面部１７ａ，１７ｂと、その間の中央の下側面部１７ｃに分離されており、中央の下側面部１７ｃの右側端部に拘束部２６が形成されている。
このように構成しても、カバー１４の浮き上がりや経年変化による変形を効果的に防止できる。
【００３１】
なお、本発明は上記し且つ図面に示す実施形態に限られず、要旨を逸脱しない範囲で以下のような拡張或は変更が可能である。
係合突部２０を補強リブ１０から離して形成することにより、係合孔２１に連なる割り溝２２を形成せず、従って、係合突部２０に係合させる際に、割り溝２２と補強リブ１０の組み合わせによる案内が行われなくなるようにしても良い。
カバー１４の上側面部１６は、リアボックス２の深さが深くてカバー１４がリアボックス２からの突出高さが低くなるような場合には、省略しても良い。
【符号の説明】
【００３２】
図面中、１はコントロールボックス、２はリアボックス（ボックス本体）、５，６は基板、９ａは端子、１０は補強リブ、１１は切欠部，１０ａは間隔保持部、１４はカバー、１６〜１９は側面部、２０は係合突部（突子部）、２１は係合孔（開口部）、２２，２３は割り溝、２４は止め部、２４ａは凸、２４ｂは凹、２５は引掛り突部（掛り部）、２６は拘束部を示す。
【図１】
2010287609.tif 000003
【図２】
2010287609.tif 000004
【図３】
2010287609.tif 000005
【図４】
2010287609.tif 000006
【図５】
2010287609.tif 000007
【図６】
2010287609.tif 000008
【図７】
2010287609.tif 000009
【図８】
2010287609.tif 000010
【図９】
2010287609.tif 000011
【図１０】
2010287609.tif 000012